(57)【要約】【課題】表示画面に表示されるガイド文字の大きさを変更することができる表示装置等を提供する。【解決手段】表示部２０と、表示部２０に表示させる文字情報を入力可能なキー操作部１０と、キー操作部１０の一部のキー１６，１７，１８に対して複数の機能を割り付けするキー割付部と、表示部２０の主要表示領域２３に第一文字情報を表示すると共にガイド表示領域２５に一部のキー１６，１７，１８に割り付けられた機能を示す第二文字情報を表示する表示制御部と、キー操作部１０の操作に応じて第一文字情報の文字サイズを変更すると共に第二文字情報の文字サイズを変更する文字サイズ変更処理部と、を備える。【選択図】図３
2007200241.tif 000002
【特許請求の範囲】
【請求項１】
表示部と、
前記表示部に表示させる文字情報を入力可能なキー操作部と、
前記キー操作部の一部のキーに対して複数の機能を割り付けするキー割付部と、
前記表示部の主要表示領域に第一文字情報を表示すると共にガイド表示領域に前記一部のキーに割り付けられた機能を示す第二文字情報を表示する表示制御部と、
前記キー操作部の操作に応じて前記第一文字情報の文字サイズを変更すると共に前記第二文字情報の文字サイズを変更する文字サイズ変更処理部と、
を備えることを特徴とする表示装置。
【請求項２】
前記文字サイズ変更処理部は、前記第二文字情報の縦方向及び／又は横方向の文字サイズを変更することを特徴とする請求項１に記載の表示装置。
【請求項３】
前記表示制御部は、前記第二文字情報の文字サイズに応じて、前記ガイド表示領域の表示面積を変更することを特徴とする請求項１又は請求項２に記載の表示装置。
【請求項４】
前記ガイド表示領域は、一方向に配列された複数の文字表示領域からなり、
前記表示制御部は、前記文字表示領域の夫々に表示される前記第二文字情報の文字数に応じて、前記文字表示領域の夫々の前記一方向の長さを変更することを特徴とする請求項１から請求項３のうちいずれか一項に記載の表示装置。
【請求項５】
前記表示制御部は、前記第二文字情報をその文字方向にスクロール表示することを特徴とする請求項１から請求項４のうちいずれか一項に記載の表示装置。
【請求項６】
前記表示制御部は、前記第二文字情報を複数行表示することを特徴とする請求項１から請求項５のうちいずれか一項に記載の表示装置。
【請求項７】
前記キー操作部の操作間隔を計時するキー入力計時部を備え、
前記文字サイズ変更処理部は、前記キー操作部からの入力が所定時間以上行われない場合に、前記第二文字情報の文字サイズを変更することを特徴とする請求項１から請求項６のうちいずれか一項に記載の表示装置。
【請求項８】
前記表示制御部は、前記キー操作部からの入力が所定時間以上行われない場合に、前記第一文字情報の入力位置を示すカーソルの近傍に前記ガイド表示領域を移動して表示することを特徴とする請求項７に記載の表示装置。
【請求項９】
前記キー操作部は、前記表示部を覆う透明シートを有するタッチパネルであって、
前記表示制御部は、前記ガイド表示領域に複数のタッチキーを表示すると共に前記タッチキー上に前記第二文字情報を表示することを特徴とする請求項１から請求項８のうちいずれか一項に記載の表示装置。
【請求項１０】
請求項１から請求項９のうちいずれか一項に記載の表示装置を備えることを特徴とする携帯電話機。
【請求項１１】
表示装置に表示する文字情報の文字サイズを変更する方法であって、
前記表示部に表示させる文字情報を入力可能なキー操作部の一部のキーに対して複数の機能を割り付け、
前記表示部の主要表示領域に第一文字情報を表示すると共にガイド表示領域に前記一部のキーに割り付けられた機能を示す第二文字情報を表示し、
前記操作キーの操作に応じて前記第一文字情報の文字サイズを変更すると共に前記第二文字情報の文字サイズを変更することを特徴とする文字サイズ変更方法。
【発明の詳細な説明】
【技術分野】
【０００１】
本発明は、表示画面に文字情報を表示する表示装置、携帯電話機等に関する。
【背景技術】
【０００２】
携帯電話機が有する液晶ディスプレイ等の表示画面には、日付、時刻、通話相手の名前、電話番号或いはメール等の文字情報が表示される。これらの文字情報は、限られた画面内に表示されるので、比較的小さな文字サイズ（例えば、１６×１６ドット）が設定されている。
しかし、特に視力の悪い人にとっては、これらの文字情報の視認性が悪いので、表示画面に表示される文字情報の文字サイズを、例えば３段階程度に拡大（変更）することができるようになっている（例えば、特許文献１参照）。
【特許文献１】特開２００５−１５７４５３号公報
【発明の開示】
【発明が解決しようとする課題】
【０００３】
ところで、携帯電話機の表示画面には、日付、時刻、通話相手の名前、電話番号或いはメール等の文字情報の他に、所謂ソフトキー（操作キーの一部）に割当てられている機能を表示するアイコンやガイド文字が表示されている。アイコンやガイド文字は、表示画面の最下段（ガイド表示領域）に表示されており、携帯電話機の操作キーの操作手順を案内する。
しかしながら、上述した技術では、表示画面に表示される主要な文字情報の文字サイズのみが拡大されるに過ぎないので、ガイド表示領域に表示されるガイド文字の視認性は十分でない。このため、携帯電話機の操作を円滑に行うことができない場合があるという問題があった。
【０００４】
本発明は、上述した事情に鑑みてなされたもので、表示画面に表示されるガイド文字の大きさを変更することができる表示装置、携帯電話機、及び文字サイズ変更方法を提供することを目的とする。
【課題を解決するための手段】
【０００５】
本発明に係る表示装置、携帯電話機、及び文字サイズ変更方法では、上記課題を解決するために以下の手段を採用した。
第一の発明に係る表示装置は、表示部と、前記表示部に表示させる文字情報を入力可能なキー操作部と、前記キー操作部の一部のキーに対して複数の機能を割り付けするキー割付部と、前記表示部の主要表示領域に第一文字情報を表示すると共にガイド表示領域に前記一部のキーに割り付けられた機能を示す第二文字情報を表示する表示制御部と、前記キー操作部の操作に応じて前記第一文字情報の文字サイズを変更すると共に前記第二文字情報の文字サイズを変更する文字サイズ変更処理部と、を備えることを特徴とする。
【０００６】
また、前記文字サイズ変更処理部は、前記第二文字情報の縦方向及び／又は横方向の文字サイズを変更することを特徴とする。
また、前記表示制御部は、前記第二文字情報の文字サイズに応じて、前記ガイド表示領域の表示面積を変更することを特徴とする。
また、前記ガイド表示領域は、一方向に配列された複数の文字表示領域からなり、前記表示制御部は、前記文字表示領域の夫々に表示される前記第二文字情報の文字数に応じて、前記文字表示領域の夫々における前記一方向の長さを変更することを特徴とする。
【０００７】
また、前記表示制御部は、前記第二文字情報をその文字方向にスクロール表示することを特徴とする請求項１から請求項４のうちいずれか一項に記載の表示装置。
また、前記表示制御部は、前記第二文字情報を複数行表示することを特徴とする。
【０００８】
また、前記キー操作部の操作間隔を計時するキー入力計時部を備え、前記文字サイズ変更処理部は、前記キー操作部からの入力が所定時間以上行われない場合に、前記第二文字情報の文字サイズを変更することを特徴とする。
また、前記表示制御部は、前記キー操作部からの入力が所定時間以上行われない場合に、前記第一文字情報の入力位置を示すカーソルの近傍に前記ガイド表示領域を移動して表示することを特徴とする。
【０００９】
また、前記キー操作部は、前記表示部を覆う透明シートを有するタッチパネルであって、前記表示制御部は、前記ガイド表示領域に複数のタッチキーを表示すると共に前記タッチキー上に前記第二文字情報を表示することを特徴とする。
【００１０】
第二の発明に係る携帯電話機は、第一の発明に係る表示装置を備えることを特徴とする。
【００１１】
第三の発明は、表示装置に表示する文字情報の文字サイズを変更する方法であって、前記表示部に表示させる文字情報を入力可能なキー操作部の一部のキーに対して複数の機能を割り付け、前記表示部の主要表示領域に第一文字情報を表示すると共にガイド表示領域に前記一部のキーに割り付けられた機能を示す第二文字情報を表示し、前記操作キーの操作に応じて前記第一文字情報の文字サイズを変更すると共に前記第二文字情報の文字サイズを変更することを特徴とする。
【発明の効果】
【００１２】
本発明によれば以下の効果を得ることができる。
表示装置の表示部に表示される文字情報のうち、主要表示領域に表示される第一文字情報のみならず、ガイド表示領域に表示される第二文字情報も、同時に文字サイズが変更されるので、文字サイズを拡大した場合には表示部全体において文字情報の視認性が向上する。これにより、第二文字情報の誘導により各種操作を行う場合に、円滑な操作が可能となる。また、文字サイズを縮小した場合には表示部全体により多くの文字情報を表示することが可能となる。
【発明を実施するための最良の形態】
【００１３】
以下、本発明の表示装置、携帯電話機、及び文字サイズ変更方法の実施形態について図を参照して説明する。
図１は、本発明の実施形態に係る携帯電話機１の概略構成を示す斜視図である。
携帯電話機（表示装置）１は、第一筐体２と、この第一筐体２の厚さ方向に重ね合わせ可能な第二筐体３と、これら２つの筐体２，３を相互に折り畳み自在に連結するヒンジ部５と、を備えている。ヒンジ部５は、２つの筐体２，３の各基端部２ａ，３ａ同士を連結するように配されている。
【００１４】
第二筐体３の内部には、各種情報を表示する表示領域２２を有するＬＣＤ（Liquid Crystal Display）或いはＥＬ（Electro Luminescence）ディスプレイ等からなる表示部２０及び通話用のスピーカー７が設けられている。表示部２０の表示領域２２は、２つの筐体２，３を相互に重ね合わせた状態において第一筐体２に対向する第二筐体３の表面３ｃ側に露出している。スピーカー７は、基端部３ａとは反対側に位置する第二筐体３の先端部３ｂに配されており、第二筐体３の表面３ｃから第二筐体３の内部空間に貫通する開口部３ｄを介して外方に露出している。
【００１５】
第一筐体２の内部には、通話キー、終話キー等の各種の押下操作可能な複数の操作キー１１を備えたキー操作部１０及び通話用のマイクロフォン８が設けられている。キー操作部１０（操作キー１１）は、２つの筐体２，３を相互に重ね合わせた状態において第二筐体３に対向する第一筐体２の表面２ｃから外方に露出している。
マイクロフォン８は、基端部２ａとは反対側に位置する第一筐体２の先端部２ｂに配されており、第一筐体２の表面２ｃから第一筐体２の内部空間に貫通する開口部２ｄを介して外方に露出している。
【００１６】
この第一筐体２は、第一筐体２の表面２ｃ側を構成するフロントケース２ｆ及び外面２ｅ側を構成するリアケース２ｒを備えている。これらフロントケース２ｆ及びリアケース２ｒは、互いに第一筐体２の厚さ方向に結合可能となっている。
この第一筐体２の内部には、キースイッチ、シールドケース、回路基板（いずれも不図示）及びバッテリー３３（図２参照）等が重ねて配されている。また、第一筐体２内部の先端部２ｂ側には、無線通信用のアンテナ３１（図２参照）が収容されている。
【００１７】
図２は、携帯電話機１の機能を示すブロック図である。
携帯電話機１は、スピーカー７、マイクロフォン８、キー操作部１０、アンテナ３１、無線通信部３２、バッテリー３３、電源制御部３４、メモリ３５及びこれらを統括的に制御する制御部３６等を有している。
ここで、無線通信部３２は、アンテナ３１を介して、他の携帯電話機等との間で通話を行ったり、インターネット網を介して各種サーバと接続して電子メールやホームページ等の各種情報を送受信したりするものである。電源制御部３４は、バッテリー３３の充電及び放電等を制御するものである。メモリ３５は、文字、記号、画像等の各種情報や携帯電話機１の各種機能を記憶するものである。
【００１８】
また、制御部３６は、キー割付部３７、表示制御部３８、文字サイズ変更処理部３９及びキー入力計時部４０を有している。
キー割付部３７は、キー操作部１０のうちのソフトキー１６，１７，１８に対して複数の機能を割り付けする。表示制御部３８は、表示部２０に指令を与えて、表示領域２２に表示する画像（写真、文字情報等）を制御する。例えば、主要表示領域２３に表示する文字情報のフォントの種類や、ガイド表示領域２５に表示するべきガイド文字の内容を制御する。
文字サイズ変更処理部３９は、キー操作部１０からの入力に応じて、表示領域２２に表示する各種文字情報の文字サイズを変更する制御を行う。
キー入力計時部４０は、キー操作部１０の操作間隔、すなわち最後のキー入力からの次のキー入力までの時間を計時する。
【００１９】
図３は、キー割り付けについて説明するための図であって、表示面２０に標準の動作条件（デフォルト）における初期画面が表示された状態を示す図である。
上述したように、第一筐体２の表面２ｃには、複数の操作キー１１が備えられている。操作キー１１としては、具体的には、電話番号等を入力するテンキー１２、各種機能のメニューについてカーソルを移動する多方向キー１３、着信時に押下操作することによって通話を開始する通話開始キー１４、通話中に押下操作することによって通話を終了する終話キー１５、多方向キー１３の中心に配置されたソフトキー１６、ソフトキー１６の左右に配置されたソフトキー１７，１８等がある。
ソフトキー１６，１７，１８は、携帯電話機１の多機能化に伴って多種類の入力操作が必要とされることから、特定のキーに複数の機能を割り付け、携帯電話機１の動作状態によりその特定のキーの機能をソフトウエア的に切り替えて使用するためのキーである。
なお、ソフトキーに複数の機能を割り付けると共に、表示部にその機能に応じたアイコン等を表示する技術は、例えば、特開２０００−２５９３０４号公報等に開示されている。
【００２０】
図３に示すように、ソフトキー１６，１７，１８に割り付けられた機能は、表示部２０の最下段のガイド表示領域２５に、アイコンやガイド文字（文字、数字、記号、絵文字等の文字情報：第二文字情報）として表示される。
これにより、携帯電話機１の操作者は、表示部２０の最下段のガイド表示領域２５に表示されたアイコンや文字情報を目視することで、ソフトキー１６，１７，１８に割り付けられている機能を確認し、ソフトキー１６，１７，１８等を押下することで、携帯電話機１を操作して所望の動作をさせることが可能となっている。
なお、ソフトキー１６，１７，１８に対する複数の機能を割り付けは、制御部３６により行われる。また、ソフトキー１６，１７，１８に割り付けられた機能に応じて、表示部２０のガイド表示領域２５に各種文字情報等を表示させることはは、制御部３６からの指令に基づいて表示制御部３８により行われる。
【００２１】
図４は、ガイド表示領域２５に表示されたガイド文字の文字サイズを変更した場合を示す図である。
表示部２０の表示領域２２には、表示領域２２の上下方向の中央であって、表示領域２２の大部分を占める主要表示領域２３と、表示領域２２の最上端の領域に配置されて、電池レベルや電波状態等を示すアイコンが表示されるアイコン表示領域２４と、表示領域２２の最下端に配置され、ソフトキー１６〜１８の機能を示すガイド文字等が表示されるガイド表示領域２５等がある。
なお、アイコン表示領域２４は、必ずしも表示領域２２の上端の領域に配置される場合のみならず、ガイド表示領域２５に直上の領域に配置される場合もある。
そして、主要表示領域２３には、各種画像や各種文字情報が表示される。主要表示領域２３に表示される文字情報（第一文字情報）としては、例えば、日付、時刻、通話相手の名前、電話番号、電子メール等がある。
一方、ガイド表示領域２５には、アイコンの他、文字、数字、記号、絵文字等のガイド文字（第二文字情報）が、ソフトキー１６，１７，１８に割り付けられた機能に対応して、表示される。例えば、図４（ａ）に示すように、ガイド表示領域２５の左側から、「アドレス帳」、「メニュー」、「カスタム機能」が表示される。この場合には、ソフトキー１６には「アドレス帳」の機能、ソフトキー１７には「メニュー」の機能が、ソフトキー１８には「カスタム機能」の機能が、それぞれ割り付けられていることを示す。したがって、携帯電話機１の操作者が、ソフトキー１７を押下するとアドレス帳画面が、ソフトキー１７を押下するとメインメニュー画面が、ソフトキー１８を押下するとカスタム設定画面が、それぞれ主要表示領域２３に表示されるようになっている。
【００２２】
図４（ａ）に示すように、携帯電話機１の標準の動作条件（デフォルト）においては、主要表示領域２３及びガイド表示領域２５には、それぞれ同一の文字サイズの文字情報が表示される。例えば、主要表示領域２３及びガイド表示領域２５に、それぞれ文字サイズが１６×１６ドットの文字情報が表示されている。
そして、主要表示領域２３に表示された文字情報の文字サイズは、携帯電話機１の操作者が任意に変更することが可能となっている。すなわち、携帯電話機１の操作キー１１を操作し、主要表示領域２３に文字サイズ変更画面を表示させ、その画面に表示された文字サイズ「大」，「中」，「小」のいずれかを選択することにより、主要表示領域２３に表示される文字情報の文字サイズを、３２×３２ドット，２４×２４ドット，１６×１６ドットのいずれかに変更することができる。
なお、図４（ｂ）は、主要表示領域２３に表示される文字情報の文字サイズを、１６×１６ドットから３２×３２ドットに拡大した場合を示す。
また、サイズの異なる複数のフォント、すなわち、３２×３２ドットフォント、２４×２４ドットフォント、１６×１６ドットフォントは、メモリ３５に記憶されている。なお、サイズの異なる複数のフォントを記憶する場合の他、所謂スケーラブルフォントを記憶しておいてもよい。そして、制御部３６は、メモリ３５から必要なフォントを取り出して表示領域２２に表示させる。
【００２３】
図４（ｂ）に示すように、主要表示領域２３に表示される文字情報の文字サイズを変更すると、これと同時にガイド表示領域２５に表示されるガイド文字の文字サイズも変更されるようになっている。そして、ガイド表示領域２５に表示されるガイド文字の文字サイズは、主要表示領域２３に表示される文字情報の文字サイズに連動するようになっている。
例えば、主要表示領域２３に表示される文字情報の文字サイズを拡大（例えば、１６×１６ドットから３２×３２ドットに変更）した場合には、ガイド表示領域２５に表示されるガイド文字の文字サイズも拡大（例えば、１６×１６ドットから２４×２４ドットに変更）される。
これにより、主要表示領域２３に表示される文字情報と共に、ガイド表示領域２５に表示されるガイド文字の視認性も向上させることができる。
一方、主要表示領域２３に表示される文字情報の文字サイズを縮小した場合には、ガイド表示領域２５に表示されるガイド文字の文字サイズも縮小される。これにより、表示領域２２に、より多くの文字情報やガイド文字を表示させることが可能となる。
【００２４】
ガイド表示領域２５に表示されるガイド文字の文字サイズを拡大すると、ガイド表示領域２５に必要とされるガイド文字を全て表示することが困難となってしまう虞がある。
このため、図４（ｂ）に示すように、ガイド文字の文字サイズの拡大と同時に、ガイド表示領域２５の表示面積（表示領域２２に占めるガイド表示領域２５の面積比）を拡大する。つまり、ガイド表示領域２５を上方向に伸ばすことで、文字サイズの大きなガイド文字をガイド表示領域２５に全て表示可能にする。
また、ガイド文字の文字サイズを拡大する方法として、フォントの縦横方向を同様に拡大する場合に限らず、縦方向のみを拡大するようにしてもよい。つまり、図４（ｃ）に示すように、ガイド文字の文字サイズを、１６×１６ドットから２４×１６ドットに変更する。これにより、横方向に限られたスペースを有するガイド表示領域２５に、より大きなガイド文字をより多く表示させることが可能となる。
【００２５】
また、主要表示領域２３に表示される文字情報の文字サイズを拡大率と、ガイド表示領域２５に表示されるガイド文字の文字サイズも拡大率は、必ずしも同じである必要はない。つまり、主要表示領域２３の文字情報を１６×１６ドットから３２×３２ドットのフォントに変更した場合に、ガイド表示領域２５のガイド文字を１６×１６ドットから２４×２４ドットのフォントに限らず、３２×３２ドットのフォントや任意の文字サイズのフォントに変更してもよい。
なお、主要表示領域２３の文字情報の文字サイズと、ガイド表示領域２５のガイド文字の文字サイズの対応関係は、対応関係テーブルとして、予めメモリ３５に記憶しておく。そして、主要表示領域２３の文字情報の文字サイズを変更する際に、メモリ３５に記憶された対応関係テーブルに応じて、ガイド文字の文字サイズを決定する。
【００２６】
図５〜図８は、ガイド文字の文字サイズを変更した場合の変形例を示す図である。
例えば、アドレス帳入力画面では、ガイド表示領域２５に左側から、「新規登録」、「表示」、「メニュー」のガイド文字を並べて表示させている。このようなガイド表示領域の画面構成において、ガイド文字を拡大すると、左側に配置される「新規登録」のガイド文字を文字表示領域２５ａ，２５ｂ，２５ｃ内に全て表示することができなくなってしまう場合がある。
「新規登録」、「表示」、「メニュー」の各ガイド文字は、ガイド表示領域２５を横方向に三分割した文字表示領域２５ａ，２５ｂ，２５ｃに表示される。そして、各文字表示領域２５ａ，２５ｂ，２５ｃは、同じ大きさに設定されているため、文字サイズによっては、文字数の多い「新規登録」のガイド文字が文字表示領域２５ａに表示しきれなくなってしまう。
そこで、図５に示すように、ガイド表示領域２５を構成する三つの文字表示領域２５ａ，２５ｂ，２５ｃの大きさを、表示するガイド文字の文字数に応じて変更する。具体的には、左側の文字表示領域２５ａの横方向の長さを拡大し、中央及び右側の文字表示領域２５ｂ，２５ｃの横方向の長さを縮小する。これにより、各文字表示領域２５ａ，２５ｂ，２５ｃに所望のガイド文字を全て表示することが可能となる。
【００２７】
また、各文字表示領域２５ａ，２５ｂ，２５ｃの大きさを調整しただけでは、全てのガイド文字を表示することができない場合もある。例えば、文字表示領域２５ａと文字ガイド表示領域２５に表示させるガイド文字の文字数がともに多い場合等である。
このような場合には、図６（ｂ１）〜（ｂ３）に示すように、文字表示領域２５ａ，２５ｂ，２５ｃに表示させるガイド文字を、横方向にスクロール表示する。（なお、図６（ｂ１）〜（ｂ３）は、文字表示領域２５ａ，２５ｃに表示したガイド文字を横方向にスクロール表示した場合を示す。）
これにより、横方向に限られた長さしかもたない文字表示領域２５ａ，２５ｂ，２５ｃに、より多くのガイド文字を表示させることができる。なお、文字表示領域２５ａ，２５ｂ，２５ｃに表示させるガイド文字の全てをスクロール表示させる必要はなく、例えば、文字表示領域２５ａに表示するガイド文字のみをスクロール表示するようにしてもよい。
【００２８】
また、図６の場合と同様に、全てのガイド文字を表示することができない場合には、文字表示領域２５ａ，２５ｂ，２５ｃに表示させるガイド文字を、複数行に表示する。つまり、図７に示すように、文字表示領域２５ａ，２５ｂ，２５ｃを縦方向に伸張すると共にガイド文字を複数行に表示する。これにより、各文字表示領域に所望のガイド文字を全て表示することが可能となる。
【００２９】
上述した各例では、主要表示領域２３に表示される文字情報の文字サイズの変更と、ガイド表示領域２５に表示されるガイド文字の文字サイズの変更が、略同時の場合について説明したが、必ずしも同時でなくてもよい。主要表示領域２３に表示される文字情報の文字サイズを変更した後に、所定の条件が満たされると、ガイド表示領域２５に表示されるガイド文字の文字サイズを変更するようにしてもよい。
例えば、キー操作部１０からの入力が所定時間以上なされない場合に、ガイド文字の文字サイズを拡大するようにしてもよい。
ガイド表示領域２５に表示されるガイド文字は、ソフトキー１６〜１８に割り付けられている機能を表示し、これにより携帯電話機１の操作者が円滑に操作キー１１を操作することを可能とするものである。したがって、キー操作部１０からの入力が連続的になされている場合には、携帯電話機１の操作者は既にソフトキー１６〜１８に割り付けられている機能を認識している可能性が高いので、ガイド文字の文字サイズを必ずしも大きくする必要はない。一方、キー操作部１０からの入力が所定時間以上なされない場合には、ガイド文字を確認してからキー操作部１０を操作する必要があるので、ガイド文字の文字サイズを拡大する必要性が高い。
そこで、キー操作部１０からの入力が所定時間以上なされない場合には、図８（ａ），（ｂ）に示すように、ガイド文字の文字サイズを拡大する。なお、キー操作部１０からの入力状況は、キー入力計時部４０により計時されたキー操作部１０の入力間隔（最後のキー入力からの経過時間）に基づいて判断される。
なお、ガイド文字の文字サイズを変更する方法は、図５〜図７に示す方法のいずれかであればよい。
【００３０】
また、キー操作部１０からの入力が所定時間以上なされない場合にガイド文字の文字サイズを拡大すると共に、ガイド表示領域２５の表示位置、すなわち表示領域２２における縦方向の位置を変更するようにしてもよい。
例えば、図８（ａ），（ｃ）に示すように、アドレス帳登録画面において、「名前入力」を行う入力領域にカーソルを合わせた状態で、一定時間以上キー操作部からの入力が行われない場合には、ガイド文字の文字サイズを拡大すると共に、ガイド表示領域２５を「名前入力」を行う入力領域の直下に移動させて表示する。
これにより、携帯電話機１の操作者が、再びアドレス帳登録画面において「名前入力」を行おうとした場合には、「名前入力」を行う入力領域の直下に、大きな文字サイズのガイド文字が表示されているので、速やかにソフトキー１６〜１８に割り付けられている機能を認識できるので、「名前入力」を円滑に行うことが可能となる。
【００３１】
上述した実施形態において示した各構成部材の諸形状や組み合わせ等は一例であって、本発明の主旨から逸脱しない範囲において設計要求等に基づき種々変更可能である。
例えば、ガイド表示領域２５として、３つの文字表示領域２５ａ，２５ｂ，２５ｃを表示する場合について説明したが、常に３つである必要はない。ガイド表示領域２５に表示される文字表示領域の数が可変であってもよい。つまり、ソフトキー１６〜１８に常に所定の機能が割り付けられる必要はなく、一時的に特定のソフトキーのみに所定機能が割り付けられる場合が存在してもよい。
【００３２】
また、ガイド表示領域２５は、常に表示領域２２に存在する必要はない。つまり、ガイド表示領域２５が一時的に非表示となってもよい。また、ガイド表示領域２５の表示位置が任意に設定できたり、ガイド表示領域２５の表示位置が可変であったりしてもよい。
【００３３】
また、ガイド表示領域２５が表示領域２２が最下端に配置される場合に限らず、例えば、最上端に配置されてもよい。
また、ガイド表示領域２５が、表示領域２２の横方向に一列に並んで配置された複数の文字表示領域２５ａ，２５ｂ，２５ｃから構成される場合には限らない。複数の文字表示領域２５ａ，２５ｂ，２５ｃを表示領域２２の縦方向に一列に並べる場合であってもよい。この場合には、表示領域２２の右端側及び左端側のいずれにガイド表示領域２５を配置してもよい。
また、文字表示領域２５ａ，２５ｂ，２５ｃに表示されるガイド文字は、横書きに限らず、縦書きであってもよい。
【００３４】
また、キー操作部１０として、表示部２０の表示領域２２を覆う透明シートを有するタッチパネルを用いてもよい。この場合には、表示制御部３８は、ガイド表示領域２５に複数のタッチキーを表示すると共にそのタッチキー上に所望のガイド文字を表示させる。これにより、タッチパネル式のキー操作部１０の操作を確実に行うことが可能となる。
【００３５】
例えば、上述した実施形態では、携帯電話機１について説明したが、これに限らない。本発明は、ＰＤＡ（Personal Digital Assistants）、デジタルカメラ、デジタルビデオカメラ、ノート型パーソナルコンピュータ等の携行可能な携帯電子機器に対して適用することができる。
また、必ずしも携帯電子機器に限らず、固定電話機、コピー機、ＦＡＸ機、ＡＴＭ、キャッシュレジスタ、自動券売機、カーナビゲーション装置、各種機械装置等の様に、ソフトキーやタッチパネルを備えた電子機器に対して適用することができる。
【図面の簡単な説明】
【００３６】
【図１】本発明の実施形態に係る携帯電話機１の概略構成を示す斜視図である。
【図２】携帯電話機１の機能を示すブロック図である。
【図３】キー割り付けについて説明するための図であって、
【図４】ガイド表示領域２５に表示されたガイド文字の文字サイズを変更した場合を示す図である。
【図５】ガイド文字の文字サイズを変更した場合の変形例を示す図である。
【図６】ガイド文字の文字サイズを変更した場合の他の変形例を示す図である。
【図７】ガイド文字の文字サイズを変更した場合の他の変形例を示す図である。
【図８】ガイド文字の文字サイズを変更した場合の他の変形例を示す図である。
【符号の説明】
【００３７】
１…携帯電話機（表示装置）
１０…キー操作部
１１…操作キー
１６，１７，１８…ソフトキー（一部のキー）
２０…表示部
２２…表示領域
２３…主要表示領域
２５…ガイド表示領域
２５ａ，２５ｂ，２５ｃ…文字表示領域
３５…メモリ
３６…制御部
３７…キー割付部
３８…表示制御部
３９…文字サイズ変更処理部
４０…キー入力計時部
【図１】
2007200241.tif 000003
【図２】
2007200241.tif 000004
【図３】
2007200241.tif 000005
【図４】
2007200241.tif 000006
【図５】
2007200241.tif 000007
【図６】
2007200241.tif 000008
【図７】
2007200241.tif 000009
【図８】
2007200241.tif 000010